(57)【特許請求の範囲】
【請求項１】
底板１の一対の対向端部に折目ｂを介して連設した外側板３と幅折目ｃと両端部に突起部４ａ、４ａを備えた内側板４とからなる二重側壁部を備え、他の一対の対向端部に折目ａを介して連設した外側板２と幅折目ｅと両端部にそれぞれ折目ｉと切込部ｊを介してフラップ板７ａ、７ａが連設され底板１に折目ｆを介して固定された内側板７とからなる平行四辺形状の偏平折り畳み乃至立ち起こし可能な二重側壁部を備え、立ち起こし後の該二重側壁部における内側板７の切込部ｊ内に前記内側板４の両端突起部４ａを嵌合係止してなる二重側壁部を備えたワンピース式ロックアップカートンであって、
前記内側板７の両端部に折目ｉと切込部ｊを介して連設されたそれぞれフラップ板７ａ、７ａの該各々切込部ｊが、前記各々折目ｉの内端部より連続して、該折目ｉの外側方向に折目ｂ又はｉに対して５°〜３０°の角度を以て傾斜して形成されていることを特徴とする二重側壁部を備えたワンピース式ロックアップカートン。
【請求項２】
前記他の一対の対向端部に折目ａを介して連設した外側板２のうちいずれか一方の外側板２の外端部に折目を介して蓋部が連設されていることを特徴とする請求項１記載の二重側壁部を備えたワンピース式ロックアップカートン。
【請求項３】
底板１の一対の対向端部に折目ａを介して外側板２、２と、各々外側板２の両端部に折目ｇを介してフラップ板２ａとを連設し、前記底板１の他の一対の対向端部に折目ｂを介して外側板３を連設し、一方の外側板２の外端部に折目ｅ1 、ｅ2 による幅折目ｅを介して内側板７と、該内側板７の両端部に折目ｉと切込部ｊを介してフラップ板７ａと、該内側板７の外端部に折目ｆを介して底貼着板９とを連設し、他方の前記外側板２の外端部に折目ｍを介して外面蓋板１０と、該外面蓋板１０の外端部に折目ｎを介して内側蓋板１１と、該内側蓋板１１の外端部に折目ｅ1 、ｅ2 による幅折目ｅを介して内側板７と、該内側板７の両端部に折目ｉと切込部ｊを介してフラップ板７ａと、該内側板７の外端部に折目ｆを介して底貼着板９とを連設し、前記各々外側板３、３のそれぞれ外端部に折目ｃ1 、ｃ2 による幅折目ｃを介して内側板４と、各々内側板４のそれぞれ外端部に折目ｄを介して底圧板５とを連設し、前記外面蓋板１０上に内面蓋板１１を折目ｎを介して折り重ねることにより、該外側板２上に内側蓋板１１外端部の内側板７と、底板１上に内面蓋板１１外端部の底貼着板９とを重ね合わせて、該外面蓋板１０と内面蓋板１１及び該底板１と底貼着板９のそれぞれ重ね合わせ内面を接合し、前記底板１と前記一方の外側板２上に該外側板２の外端部に連設した内側板７と底貼着板９とを折目ｅ1 を介して折り重ね、該底板１と底貼着板９の重ね合わせ内面を接合することにより、該底板１の一対の対向端部に外側板２と内側板７と幅折目ｅと底板１とからなる平行四辺形状二重側壁部を形成した後、該平行四辺形状二重側壁部を立ち起こし、外側板２の両端フラップ板２ａと内側板７の両端フラップ板７ａとをそれぞれ折目ｇ、ｉを介して直角に折り曲げた後、前記外側板３、幅折目ｃ、内側板４を互いに直角に折り曲げてフラップ板２ａ、７ａを包み、底圧板５を底板１に重ね合わせ、該底板１の一対の対向端部に外側板３と内側板４と幅折目ｃと底板１とからなる平行四辺形状二重側壁部を形成した後、前記内側板４の両端突起部４ａを内側板７の切込部ｊ内に嵌合係止してなる二重側壁部を備えたワンピース式ロックアップカートンであって、
前記内側板７の両端部に連設されたフラップ板７ａの切込部ｊが、折目ｉの内端部より連設して、該折目ｉの外側方向に折目ｂ又はｉに対して５°〜３０°の角度を以て傾斜して形成されていることを特徴とする二重側壁部を備えたワンピース式ロックアップカートン。
【請求項４】
前記外面蓋板１０の両側端にそれぞれ補強フラップ板１０ａが連設され、該補強フラップ板１０ａが、外面蓋板１０と内面蓋板１１との重ね合わせ接合内面に折り込まれていることを特徴とする請求項３記載の二重側壁部を備えたワンピース式ロックアップカートン。
【発明の詳細な説明】
【０００１】
【発明の属する技術分野】
本発明は、菓子等の内容物を包装する二重側壁部を備えたカートンに関し、特にカートンの収容部と蓋部とを一体にしてワンピースにて組み立て可能な自動製函に適した二重側壁部を備えたワンピース式ロックアップカートンに関する。
【０００２】
【従来の技術】
従来の二重側壁部を備えたカートンは、二重側壁部を備えた収容部と蓋部とが別体となっていて、それぞれ収容部と蓋部とを別々に組み立て製函しており、製函後は、内容物をカートン収容部内に収容した後に、収容部に蓋部を被覆して封止包装していた。
【０００３】
【発明が解決しようとする課題】
このような従来の二重側壁部を備えたカートンは、カートンの収容部と蓋部とがワンピースとなっていないために、この収容部と蓋部とを同時に自動製函方式にて組み立てることができず、製函作業効率が悪く、また、内容物の箱詰め作業においては、収容部と蓋部とを１セットとして用意して箱詰め作業をする必要があった。
【０００４】
本発明は、二重側壁部を備えたカートン収容部と蓋部とを、自動製函方式にて同時に一体に組み立てることができるカートンを提供することにある。
【０００５】
【課題を解決するための手段】
本発明の請求項１に係る発明は、底板１の一対の対向端部に折目ｂを介して連設した外側板３と幅折目ｃと両端部に突起部４ａ、４ａを備えた内側板４とからなる二重側壁部を備え、他の一対の対向端部に折目ａを介して連設した外側板２と幅折目ｅと両端部にそれぞれ折目ｉと切込部ｊを介してフラップ板７ａ、７ａが連設され底板１に折目ｆを介して固定された内側板７とからなる平行四辺形状の偏平折り畳み乃至立ち起こし可能な二重側壁部を備え、立ち起こし後の該二重側壁部における内側板７の切込部ｊ内に前記内側板４の両端突起部４ａを嵌合係止してなる二重側壁部を備えたワンピース式ロックアップカートンであって、
前記内側板７の両端部に折目ｉと切込部ｊを介して連設されたそれぞれフラップ板７ａ、７ａの該各々切込部ｊが、前記各々折目ｉの内端部より連続して、該折目ｉの外側方向に折目ｂ又はｉに対して５°〜３０°の角度を以て傾斜して形成されていることを特徴とする二重側壁部を備えたワンピース式ロックアップカートンである。
【０００６】
次に本発明の請求項２に係る発明は、上記請求項１に係る発明において、前記他の一対の対向端部に折目ａを介して連設した外側板２のうちいずれか一方の外側板２の外端部に折目を介して蓋部が連設されていることを特徴とする二重側壁部を備えたワンピース式ロックアップカートンである。
【０００７】
次に本発明の請求項３に係る発明は、底板１の一対の対向端部に折目ａを介して外側板２、２と、各々外側板２の両端部に折目ｇを介してフラップ板２ａとを連設し、前記底板１の他の一対の対向端部に折目ｂを介して外側板３を連設し、一方の外側板２の外端部に折目ｅ1 、ｅ2 による幅折目ｅを介して内側板７と、該内側板７の両端部に折目ｉと切込部ｊを介してフラップ板７ａと、該内側板７の外端部に折目ｆを介して底貼着板９とを連設し、他方の前記外側板２の外端部に折目ｍを介して外面蓋板１０と、該外面蓋板１０の外端部に折目ｎを介して内側蓋板１１と、該内側蓋板１１の外端部に折目ｅ1 、ｅ2 による幅折目ｅを介して内側板７と、該内側板７の両端部に折目ｉと切込部ｊを介してフラップ板７ａと、該内側板７の外端部に折目ｆを介して底貼着板９とを連設し、前記各々外側板３、３のそれぞれ外端部に折目ｃ1 、ｃ2 による幅折目ｃを介して内側板４と、各々内側板４のそれぞれ外端部に折目ｄを介して底圧板５とを連設し、前記外面蓋板１０上に内面蓋板１１を折目ｎを介して折り重ねることにより、該外側板２上に内側蓋板１１外端部の内側板７と、底板１上に内面蓋板１１外端部の底貼着板９とを重ね合わせて、該外面蓋板１０と内面蓋板１１及び該底板１と底貼着板９のそれぞれ重ね合わせ内面を接合し、前記底板１と前記一方の外側板２上に該外側板２の外端部に連設した内側板７と底貼着板９とを折目ｅ1 を介して折り重ね、該底板１と底貼着板９の重ね合わせ内面を接合することにより、該底板１の一対の対向端部に外側板２と内側板７と幅折目ｅと底板１とからなる平行四辺形状二重側壁部を形成した後、該平行四辺形状二重側壁部を立ち起こし、外側板２の両端フラップ板２ａと内側板７の両端フラップ板７ａとをそれぞれ折目ｇ、ｉを介して直角に折り曲げた後、前記外側板３、幅折目ｃ、内側板４を互いに直角に折り曲げてフラップ板２ａ、７ａを包み、底圧板５を底板１に重ね合わせ、該底板１の一対の対向端部に外側板３と内側板４と幅折目ｃと底板１とからなる平行四辺形状二重側壁部を形成した後、前記内側板４の両端突起部４ａを内側板７の切込部ｊ内に嵌合係止してなる二重側壁部を備えたワンピース式ロックアップカートンであって、
前記内側板７の両端部に連設されたフラップ板７ａの切込部ｊが、折目ｉの内端部より連設して、該折目ｉの外側方向に折目ｂ又はｉに対して５°〜３０°の角度を以て傾斜して形成されていることを特徴とする二重側壁部を備えたワンピース式ロックアップカートンである。
【０００８】
次に本発明の請求項４に係る発明は、上記請求項３に係る発明において、前記外面蓋板１０の両側端にそれぞれ補強フラップ板１０ａが連設され、該補強フラップ板１０ａが、外面蓋板１０と内面蓋板１１との重ね合わせ接合内面に折り込まれていることを特徴とする請求項３記載の二重側壁部を備えたワンピース式ロックアップカートンである。
【００１０】
【発明の実施の形態】
本発明の実施の形態を以下に詳細に説明すれば、図１はカートンブランクシート、図２はカートン組み立て前のカートンブランクシート、図３はカートン組み立て側面図、図４はカートン組み立て完成図である。
【００１１】
本発明のカートンは、図１のカートンブランクシートに示すように、底板１の一対の対向端部に、それぞれ折目ａを介して外側板２、２が連設され、各々外側板２、２の両端部に、それぞれ折目ｇを介してフラップ板２ａ、２ａが連設され、該底板１の他の一対の対向端部には、それぞれ折目ｂを介して外側板３、３が連設されている。
【００１２】
前記各々外側板２、２のうち、一方の外側板２の外端部には、折目ｅ1 、ｅ2 による幅折目ｅを介して内側板７と、該内側板７の両端部には、折目ｉと切込部ｊとを介してフラップ板７ａ、７ａが連設され、該内側板７の外端部には、折目ｆを介して底貼着板９が連設されている。
【００１３】
また、他方の外側板２の外端部には、折目ｍを介して外面蓋板１０と、該外面蓋板１０の外端部に折目ｎを介して内面蓋板１１が連設されている。なお、外面蓋板１０の両側外端部には、必要に応じて補強板１０ａ、１０ａが折目ｐを介して連設されていてもよい。
【００１４】
前記内面蓋板１１の外端部には、折目ｅ1 、ｅ2 による幅折目ｅを介して内側板７と、該内側板７の両端部に折目ｉ、切込部ｊを介してフラップ板７ａ、７ａが連設され、該内側板７の外端部には、折目ｆを介して底貼着板９が連設されている。
【００１５】
前記各々外側板３、３のそれぞれ外端部には、折目ｃ1 、ｃ2 による幅折目ｃを介して内側板４と、各々内側板４のそれぞれ外端部には折目ｄを介して底圧板５とが連設されている。
【００１６】
上記図１のカートンブランクシートは、カートン組み立て前に、予め図２に示すような組み立て前カートンブランクシートとして形成しておく。この組み立て前カートンブランクシートは、機械的に自動製函方式にて、次のようにして折り曲げて重ね合わせ、その重ね合わせ内面を貼着接合して、予め形成しておくことが可能である。
【００１７】
この図２に示す組み立て前カートンブランクシートは、図１のカートンブランクシートにおける前記底板１と前記一方の外側板２上に、該外側板２の外端部に連設した内側板７と底貼着板９とが折目ｅ1 を介して折り重ねられ、該底板１と底貼着板９の重ね合わせ内面（斜線部）が貼着接合されている。
【００１８】
また、前記他方の外側板２の外端部に連設した外面蓋板１０上に、必要に応じて補強板１０ａ、１０ａを折目ｐを介して折り返して、内面蓋板１１を折目ｎを介して折り重ねることにより、該外側板２上に内面蓋板１１外端部の内側板７と、底板１上に内面蓋板１１外端部の底貼着板９とが重ね合わせられ、該外面蓋板１０と内面蓋板１１の重ね合わせ内面が貼着接合され、また該底板１と底貼着板９のそれぞれ重ね合わせ内面（斜線部）が貼着接合されている。
【００１９】
これにより前記底板１の一対の対向端部において、それぞれ外側板２と内側板７と幅折目ｅと底板１とからなる平行四辺形状二重側壁部が、各々折目ａ、ａを介して立ち起こし可能に偏平に折り畳まれた状態に形成されている。
【００２０】
本発明のカートンは、上記組み立て前カートンブランクシート（図２参照）を用いて、平行四辺形状二重側壁部を立ち起こして組み立てられるものである。このカートンの組み立ては、組み立て前カートンブランクシートを用いて機械的に自動製函方式にて、次のようにして平行四辺形状二重側壁部を立ち起こし、立ち起こし状態を係止して組み立てることができる。
【００２１】
まず、図２に示す組み立て前カートンブランクシートの一対の対向する平行四辺形状二重側壁部を立ち起こす。これにより、図３の側面図に示すように、底板１の一対の対向端部に、それぞれ外側板２と内側板７と幅折目ｅと底板１とからなる二重側壁部が立ち起こし形成される。
【００２２】
続いて、立ち起こされた外側板２、２の両端フラップ板２ａ、２ａと、内側板７、７の両端フラップ板７ａ、７ａとを、折目ｂ、ｂに対して平行に、それぞれ折目ｇ、ｉを介して直角に折り曲げた後、図４に示すように、前記外側板３、幅折目ｃ、内側板４を互いに直角に折り曲げて、フラップ板２ａ、７ａを包む。
【００２３】
そして、底圧板５を底板１に重ね合わせた後（必要に応じて底圧板５と底板１とを貼着接合し）、前記各々内側板４、４を、その両側端にあるそれぞれ突起部４ａ、４ａを、前記内側板７の切込部ｊ内に差し込み嵌合係止して固定し、二重側壁部を備えたワンピース式ロックアップカートン（図４参照）が組み立て完成する。
【００２４】
本発明のカートンは、図２に示すように、内側板７、７の両端に折目ｉ、ｉと切込部ｊ（切込線）を介してフラップ板７ａ、７ａが連設されている。
【００２５】
前記折目ｉは、折目ｂに対して平行に、幅折目ｅ（あるいは折目ｆ）に対して垂直に形成されているのに対して、切込部ｊは、前記折目ｂに対して平行ではなく、折目ｉの内端部より連続して折目ｉの外側方向に所定角度（例えば折目ｂ、又は折目ｉに対して５°〜３０°程度）を以て傾斜して形成されている。
【００２６】
そのため、内側板７、７の両端のフラップ板７ａ、７ａを折目ｉ、ｉを介して直角に折り曲げた際に、その内側板７、７の両端には、切込部ｊにより外側に向かって低く、所定角度（折目ｉに対して５°〜３０°程度）を以て傾斜して突出する傾斜突出部ｋが形成される。
【００２７】
この内側板７、７両端の傾斜突出部ｋは、図４に示すように、組み立てられるワンピース式ロックアップカートンの内側板７、７両端の切込部ｊ内に、内側板４、４両側端にある突起部４ａ、４ａを差し込み嵌合した際に、各々突起部４ａ面をカートン外側方向（外側板３方向）に押圧する付勢力が生じて、嵌合した突起部４ａは切込部ｊより外れ難く係止される。
【００２８】
【発明の効果】
本発明のカートンは、カートン製造用材料としては、通常のカートン製造用の板紙、段ボール、あるいは防水性、耐水性等を付与した水濡れに強い板紙や段ボールなどが使用でき、菓子等の内容物を包装するカートン収容部と蓋部とを一体にしてワンピースにて組み立て可能な二重側壁部を備えたワンピース式ロックアップカートンであり、二重側壁部を備えたカートン収容部と蓋部とを同時に一体に組み立てることができ、自動製函方式による組み立てに適した二重側壁部を備えたカートンであるためカートン製造効率が良く、また内容物収容部と蓋部とが１ピースとなっているため、カートンへの内容物の箱詰め出荷等の作業におけるカートン準備作業及び箱詰め作業の能率向上に効果的である。
【図面の簡単な説明】
【図１】本発明カートンのカートンブランクシートの平面図。
【図２】本発明カートンのカートン組み立て前カートンブランクシートの平面図。
【図３】本発明カートンの一対の対向する二重側壁部を立ち起こした状態を説明する概要側面図。
【図４】本発明カートンの組み立て完成斜視図。
【符号の説明】
１…底板  ２、３…外側板  ４…内側板  ４ａ…突起部  ５…底圧板
７…内側板  ９…底貼着板
１０…外面蓋板  １１…内面蓋板
ｅ、ｃ…幅折目  ｉ…折目  ｊ…切込部（切込線）  ｋ…傾斜突出部
【図１】
0003978988.tif 000002
【図２】
0003978988.tif 000003
【図３】
0003978988.tif 000004
【図４】
0003978988.tif 000005